(57)【要約】【課題】スピーカから出される効果音又は音楽の低音域の強調が可能となる遊技機を得る。【解決手段】パチンコ機１０は、皿ユニット４０の上皿４２及び下皿４４を除いた領域を仕切る仕切壁９４で囲まれたスピーカ室９５と、スピーカ室９５に取付けられたスピーカ７４と、皿ユニット４０の後面からスピーカ室９５を密閉する裏蓋９６体とを有している。ここで、上皿４２及び下皿４４を除く領域全体をスピーカ室９５とすることができるので、従来のような、スピーカボックスを皿ユニットに取付けるものと比べて、スピーカ７４のエンクロージャーとしてのスピーカ室９５の容積を増やすことができる。これにより、遊技中にスピーカ７４から出される効果音又は音楽の低音域の強調が可能となる。【選択図】図６
2009165601.tif 000002
【特許請求の範囲】
【請求項１】
遊技機本体の前面に開閉可能に設けられ、遊技球が貯留される上皿と、該上皿から排出された遊技球を受ける下皿と、を備えた受皿ユニットを有する遊技機において、
前記受皿ユニットの前記上皿及び前記下皿を除いた領域を仕切る仕切壁で囲まれた部屋と、
前記部屋に取付けられたスピーカと、
前記受皿ユニットの後面から前記部屋を密閉する蓋体と、
を有することを特徴とする遊技機。
【発明の詳細な説明】
【技術分野】
【０００１】
本発明は、遊技機本体から音を出す遊技機に関する。
【背景技術】
【０００２】
パチンコ機等の遊技機には、遊技中に効果音や音楽を出すスピーカが設けられている。スピーカを備えた遊技機の一例として、遊技球を貯留する上皿の下方側に配置された下皿ユニットに、遊技者の正面に向けてスピーカユニット（スピーカとスピーカ収納ボックスが一体になったもの）を設置したものがある（例えば、特許文献１参照）。
【特許文献１】特開２００４−２９０３５７号公報
【発明の開示】
【発明が解決しようとする課題】
【０００３】
しかしながら、特許文献１の遊技機では、スピーカユニットの大きさは下皿ユニットの大きさにより限定され、スピーカ収納ボックスの容量を増やすことができず、低音域の強調が困難となっていた。
【０００４】
本発明は、上記事実を考慮して、スピーカから出る効果音又は音楽の低音域の強調が可能となる遊技機を得ることを目的とする。
【課題を解決するための手段】
【０００５】
本発明の請求項１に係る遊技機は、遊技機本体の前面に開閉可能に設けられ、遊技球が貯留される上皿と、該上皿から排出された遊技球を受ける下皿と、を備えた受皿ユニットを有する遊技機において、前記受皿ユニットの前記上皿及び前記下皿を除いた領域を仕切る仕切壁で囲まれた部屋と、前記部屋に取付けられたスピーカと、前記受皿ユニットの後面から前記部屋を密閉する蓋体と、を有することを特徴としている。
【０００６】
上記構成によれば、受皿ユニットの上皿及び下皿を除いた領域が、仕切壁で囲まれて、部屋が形成される。ここで、上皿及び下皿を除く領域全体を部屋とすることができるので、従来のような、スピーカボックスを受皿ユニットに取付けるものと比べて、スピーカのエンクロージャーとしての部屋の容積を増やすことができる。これにより、遊技中にスピーカから出る効果音又は音楽の低音域の強調が可能となる。
【発明の効果】
【０００７】
本発明は、上記構成としたので、スピーカから出る効果音又は音楽の低音域の強調が可能となる。
【発明を実施するための最良の形態】
【０００８】
本発明の遊技機の第１実施形態を図面に基づき説明する。
【０００９】
（パチンコ機の構成）
図１〜図４には、本発明の第１実施形態に係る遊技機としてのパチンコ機１０が示されている。図１〜図４に示すように、パチンコ機１０は、パチンコ機１０の外郭を構成するとともにパチンコホールの島設備に設置される矩形状の外枠１２を備えている。外枠１２の前面には、合成樹脂で矩形額縁状に形成された内枠１４が配置されており（図２参照）、内枠１４の下側となる外枠１２の前面下端部には、パチンコ機１０の前面下端部を構成する合成樹脂製の下飾り１６が取り付けられている。
【００１０】
内枠１４は、外枠１２の左上角部と下飾り１６の左上角部とに設けられた一対のヒンジ部１８、２０に左側端部が軸支されて開閉可能に取り付けられている。内枠１４の前面上部には、パチンコ機１０の前面上部を構成するガラス枠２２が配置されており、ガラス枠２２は、縦長略楕円形の窓部２４にガラス板（ガラスユニット）２６が装着されるとともに、左側端部が内枠１４に軸支されて開閉可能に取り付けられている（図２参照）。
【００１１】
ガラス枠２２の裏面側となる内枠１４の前面上部には、矩形状の開口部１５が形成されている。この内枠１４の開口部１５には、釘、役物等（図示省略）が所定の位置に配置された遊技盤Ｇが着脱（交換）可能にセットされており、遊技盤Ｇは、内枠１４に対して閉塞されたガラス枠２２によって覆われ、パチンコ機１０の正面側から窓部２４のガラス板２６を通して視認可能とされている。内枠１４の前面下部で遊技盤Ｇの左下側には、遊技盤Ｇに向けて遊技球を発射する発射装置６０が配置されている。
【００１２】
ここで、遊技盤Ｇは、基板として透明の平板状合成樹脂材が用いられている（以下、透明遊技盤Ｇという）。この透明遊技盤Ｇの表面には、円弧状の内レール９０及び外レール９２が取り付けられている。これらの内レール９０及び外レール９２によって囲まれた円形状の領域は、発射装置６０から発射されて打ち込まれた遊技球が自重落下により移動可能とされ、この領域が遊技を行う遊技領域ＰＡとされる。また、透明遊技盤Ｇの裏面側には、少なくとも遊技領域ＰＡのほぼ全域に亘って表示面が対向する大型の液晶表示器（図示省略）が配設されている。すなわち、遊技領域ＰＡが、液晶表示器の表示領域となっている。
【００１３】
また、ガラス枠２２の前面には、左右の両側端部に、遊技の進行に応じて点灯、消灯、及び点滅し照明による演出を行う複数の照明演出用のランプ２８が配設されており、ランプ２８の上方で左上と右上の各角部近傍には、遊技の進行に応じて効果音をステレオ出力する中高音用のスピーカ３０Ｌ、３０Ｒが内蔵されている。
【００１４】
一方、内枠１４の前面下部には、パチンコ機１０の前面下部を構成する皿ユニット４０が配置されている。皿ユニット４０は、皿ユニット４０の本体部を構成するベース４１の左側端部が内枠１４に軸支されて開閉可能に取付けられている。ベース４１の前面上部には、遊技球を貯留すると共に、発射装置６０（図２参照）へ遊技球を供給する上皿４２が突設されている。また、ベース４１の前面下部で上皿４２の左下には、上皿４２に貯留しきれない遊技球を貯留するための下皿４４が突設されている。
【００１５】
上皿４２は、底面が正面視にて手前側から奥側へ向けて反時計回りに下り傾斜しており、傾斜方向下流側となる底面の奥側には、上皿４２内に貯留された遊技球を１列に整列して、ベース４１の裏面に取り付けられた球送り装置４５（図４参照）へ誘導する整列通路４６が設けられている。
【００１６】
ベース４１によって構成された上皿４２の奥壁面における左側端部には、内枠１４の裏面に設けられ所定数の遊技球を払い出す払出装置６２（図３参照）から払い出された貸し球や賞球が排出される球排出口（球受け渡し口）４８が形成されている。また、下皿４４の奥壁面における右側端部には、上皿４２に貯留しきれない遊技球が排出される球排出口４９が形成されている。
【００１７】
ベース４１の前面右下部には、発射装置６０（図２参照）と電気的に接続されて打球の発射力（飛距離）を調整する発射ハンドル５４が取付けられており、ベース４１の前面左下部には、下皿４４に隣接して灰皿５６が設けられている。また、ベース４１の前面略中央は矩形箱状に膨出しており、内部には、遊技の進行に応じて効果音を出す重低音用のスピーカ部（サブウーハ）５８が設けられている。
【００１８】
さらに、ベース４１には、上皿４２、下皿４４、及びスピーカ部５８を囲うようにして、略Ｕ字状のランプ部材５９が取付けられている。ランプ部材５９は、内部に複数のランプを備えており、複数のランプは、図示しない点灯制御用の回路基板に接続されている。パチンコ機１０の遊技の進行に伴い、ランプ部材５９は、点灯又は点滅する。
【００１９】
図２及び図４に示すように、透明遊技盤Ｇの下側で発射装置６０の右上側には、払出装置６２から払い出された遊技球が流出する球流出口６１が設けられている。ここで、皿ユニット４０が内枠１４に閉止されたときに、球流出口６１と球排出口４８が連通するようになっている。これにより、払出装置６２から払い出された遊技球は、球流出口６１及び球排出口４８を経由して、上皿４２に払い出される。また、球流出口６１と隣接する位置には、下方に向けて遊技球の排出口（図示省略）が形成された流路からなるオーバーフロー部７８が設けられている。
【００２０】
球流出口６１の上流側には、球流出口６１とオーバーフロー部７８に向けて分岐された分岐路（図示省略）が設けられている。分岐路では、通常時、遊技球が球流出口６１に向かって流下する。ここで、上皿４２に払い出された遊技球の貯留量が上皿４２の貯留可能量を上回るとき（満タン時）、分岐路の球流出口側の通路に遊技球が貯まり、分岐部で遊技球があふれる。あふれた遊技球は、オーバーフロー部７８に案内され、オーバーフロー部７８の排出口から排出される。
【００２１】
一方、皿ユニット４０の裏面中央部で球排出口４８の下方側には、上皿４２に貯留しきれない遊技球を下皿４４へ流下させる球通路７０が取付けられている。球通路７０の上部には、皿ユニット４０が内枠１４に閉止されたときに、オーバーフロー部７８の下側に配置される通路入口７２が設けられている。また、球通路７０は、下皿４４に設けられた球排出口４９（図１参照）と連通している。ここで、上皿４２の満タン時に、分岐路からオーバーフロー部７８を通って通路入口７２に排出された遊技球は、球通路７０を流下して、球排出口４９から下皿４４へ排出される。
【００２２】
図２及び図３に示すように、内枠１４の裏面における自由端側（裏面視左側）の側端部には、内枠１４及びガラス枠２２を施錠するための施錠装置６４が取付けられており、施錠装置６４の下側には、皿ユニット４０をロックするためのロック装置６８が取り付けられている。ここで、施錠装置６４によって、内枠１４が外枠１２に閉塞された状態で施錠されるとともに、ガラス枠２２が内枠１４に閉塞された状態で施錠され、ロック装置６８によって、皿ユニット４０が内枠１４に閉塞された状態でロックされる。
【００２３】
また、施錠装置６４の下部に設けられたシリンダー錠（錠前）６６は、皿ユニット４０の前面右上から露出しており、このシリンダー錠６６の鍵孔に鍵（図示省略）を差し込んで開錠操作すると、外枠１２に施錠された内枠１４が開錠されて開放可能となり、内枠１４に施錠されたガラス枠２２が開錠されて開放可能となる。
【００２４】
ガラス枠２２を開放すると露出されるロック装置６８のロック解除レバー６９（図４参照）を操作すると、内枠１４にロックされていた皿ユニット４０がロック解除されて開放可能となる。また、皿ユニット４０が内枠１４に閉塞されてロック装置６８によりロックされると、発射装置６０の前側に球送り装置４５が配置される。また、前述のように、球流出口６１と球排出口４８が連通される。
【００２５】
一方、図３に示すように、内枠１４の裏面における基板となる矩形状のベース板１０２の上部には、島設備から供給された遊技球としてのパチンコ球を貯留するための上タンク８０及び下タンク８２が設けられている。また、内枠１４裏面の回転支軸側（裏面右側）の側端部には、上タンク８０及び下タンク８２に貯留されたパチンコ球を球流出口６１（図２参照）側へ流下させる上部球通路ユニット８４及び下部球通路ユニット８６が延設されている。
【００２６】
上部球通路ユニット８４及び下部球通路ユニット８６の間には、前述の払出装置６２が着脱可能に取付けられており、上タンク８０から下部球通路ユニット８６までが連通している。また、下部球通路ユニット８６の下流側には、前述の分岐路（図示省略）が接続されており、分岐路の一方は、球流出口６１に繋がっている。
【００２７】
ここで、上部球通路ユニット８４、払出装置６２、及び下部球通路ユニット８６によって、払出機構１００が構成されている。下部球通路ユニット８６の左側には、払出装置６２における遊技球の払い出し動作、又は払い出し停止動作を制御する払出制御基板８８が設けられている。
【００２８】
また、ベース板１０２の払出機構１００以外の領域には、パチンコ機１０の各機能の全般を制御するための主制御基板、液晶表示器に表示させる図柄を制御するための図柄制御基板等が組み付けられ、これらの表面が保護カバー９９で覆われている。
【００２９】
ベース板１０２は、保護カバー９９を取付けた状態で（ユニット化）、内枠１４に対して着脱可能とされている。なお、ユニット化しない状態で、ベース板１０２を内枠１４に取付けた後、保護カバー９９を取付けても良い。
【００３０】
次に、パチンコ機１０における遊技球の流れについて説明する。
【００３１】
パチンコ機１０が取付けられた島から上タンク８０に遊技球が供給される。供給された遊技球は、上タンク８０から下タンク８２、上部球通路ユニット８４を流下して、払出装置６２に送り込まれる。ここで、払出制御基板８８は、払出停止制御では、払出装置６２を駆動停止させて遊技球の払い出しを停止する。また、払出実行制御では、払出装置６２を駆動させて、払出装置６２に誘導された遊技球を、貸し球又は賞球として下部球通路ユニット８６へ払い出す。下部球通路ユニット８６へ払い出された遊技球は、分岐路（図示省略）を経由して球流出口６１から流出し、球排出口４８から排出されて、上皿４２に貯留される。
【００３２】
上皿４２に貯留された遊技球は、上皿４２内を下流側（左側）へ流下しつつ整列通路４６により１列に整列され、遊技者の発射ハンドル５４の操作により、球送り装置４５から発射装置６０に１球ずつ送り込まれる。そして、発射装置６０によって透明遊技盤Ｇの遊技領域ＰＡへ発射され（図２の矢印Ａ方向）、発射された遊技球が遊技領域ＰＡを自重落下する過程で入賞又は外れとなることにより、透明遊技盤Ｇにて遊技が行われる。
【００３３】
遊技の進行に伴い、大量の遊技球が賞球として払い出されるなどし、上皿４２が満タンになると、払出装置６２から払い出された遊技球は、上皿４２に流下できず、分岐路（図示省略）からオーバーフロー部７８を経由して、通路入口７２に落下する。通路入口７２に落下した遊技球は、球通路７０を流下し、球排出口４９から排出されて下皿４４に貯留される。
【００３４】
また、遊技の終了時などに、上皿４２の前面左側に設けられた上皿用球抜きレバー５０を操作すると、整列通路４６の最下流部が開放して、上皿４２に貯留された遊技球が球通路７０へ排出され下皿４４へ流下する。さらに、下皿４４が遊技球で満タンになったときや遊技の終了時などに、下皿４４の前面下側に設けられた下皿用球抜きレバー５２を操作すると、下皿底面の一部が開放して、下皿４４に貯留された遊技球が下皿４４の下方に配置された球箱（図示省略）へ排出される。
【００３５】
（パチンコ機のスピーカボックス構造）
次に、パチンコ機１０のスピーカボックス構造について説明する。図５は、皿ユニット４０から上皿４２、下皿４４、発射ハンドル５４、ランプ部材５９、灰皿５６、上皿用球抜きレバー５０、下皿用球抜きレバー５２等を取り外した状態のベース４１の外観を示している。
【００３６】
ベース４１の前面には、前述のスピーカ部５８が設けられている。スピーカ部５８は、ベース４１の内側に配設されたスピーカ７４と、スピーカ７４の前面を覆うカバー部材７６を有している。カバー部材７６は、スピーカ７４から出された音をそのまま外部へ出すためのメッシュ状の穴部（図示省略）が複数形成されている。
【００３７】
図６及び図７は、ベース４１を後面から見たときの外観を示している。図６及び図７に示すように、ベース４１には、前面から後面にかけて、上皿４２及び下皿４４に対応する領域を除いた領域を仕切る仕切壁９４が形成されている。
【００３８】
仕切壁９４は、ベース４１の前面の一部に相当する前壁９４Ａと、上皿４２の下方で横方向に広がった上壁９４Ｂと、縦方向に広がりベース４１の右側壁（正面視にて）を構成する右側壁９４Ｃと、上壁９４Ｂと対向して横方向に広がった底壁９４Ｄと、右側壁９４Ｃと対向して下皿４４の左側（正面視にて）に縦方向に広がった左側壁９４Ｅとで構成されている。
【００３９】
ベース４１に仕切壁９４が形成されることにより、スピーカ室９５が形成されている。スピーカ室９５は、内部に前述のスピーカ７４が取付けられ、ベース４１の後面側から裏蓋９６が図示しないビスで締結されることにより、密閉される。なお、固定後の裏蓋９６は、仕切壁９４の一部である後壁９４Ｆとなる。また、裏蓋９６には、所定の大きさの穴部９７が形成されており、スピーカ７４に接続された図示しない配線が引き出される。配線を束ねた配線ブッシュ９８は、穴部９７を塞ぐように固定される。
【００４０】
次に、本実施形態の作用について説明する。
【００４１】
図８（ａ）は、本発明との比較例として、従来のように、スピーカボックスを皿ユニットと別体で構築して、皿ユニット内部に取付けた状態を模式的に示している。図８（ａ）に示すように、比較例としての皿ユニット１５０は、図示しない上皿、下皿等が設けられるベース１５２を有しており、ベース１５２の裏面側から、直方体状のスピーカボックス１５４が後付けされている。スピーカボックス１５４内には、ベース１５２の前面に向けて音を出すスピーカ１５６が取付けられている。
【００４２】
ここで、皿ユニット１５０では、予め直方体状のエンクロージャとして形成されたスピーカボックス１５４を用いるため、曲面が多く形成されたベース１５２内に平面で囲まれたスピーカボックス１５４を取付けることになり、デッドスペースが多く存在することになる。このため、皿ユニット１５０に取付けられるスピーカボックス１５４の容積を、デッドスペース分を見込んで小さくしなくてはならず、容積の制限により、低音域の音の強調が困難であった。
【００４３】
一方、図８（ｂ）は、本発明の実施形態である皿ユニット４０のスピーカ室９５を模式的に示している。図８に示すように、皿ユニット４０のベース４１では、上皿４２及び下皿４４を除いた領域が仕切壁９４で囲まれて、スピーカ室９５が形成されている。
【００４４】
ここで、皿ユニット４０の上皿４２及び下皿４４を除く領域全体をスピーカ室９５とすることができるので、従来のような、スピーカボックス１５４を皿ユニット１５０に取付けるものと比べて、仕切壁９４の設定位置の自由度が上がり、スピーカ７４のエンクロージャーとしてのスピーカ室９５の容積を増やすことができる。これにより、遊技中にスピーカ７４から出される効果音又は音楽の低音域の強調が可能となる。
【００４５】
なお、本発明は上記の実施形態に限定されない。
【００４６】
スピーカ室９５内をさらに仕切壁で仕切ると共に、ベース４１の前面に開口部を形成して、スピーカ７４の後面に出される音を用いて、バスレフ方式のスピーカ部としてもよい。また、ベース４１においてスピーカ７４が設けられる位置は、上皿４２、下皿４４を除く領域であればよく、スピーカ７４がベース４１の中央に配置されていなくてもよい。
【図面の簡単な説明】
【００４７】
【図１】本発明の実施形態に係るパチンコ機の全体図である。
【図２】本発明の実施形態に係るパチンコ機のガラス枠及び皿ユニットが開放された状態を示す斜視図である。
【図３】本発明の実施形態に係るパチンコ機を裏面から見た斜視図である。
【図４】本発明の実施形態に係る皿ユニットの開放状態の背面図である。
【図５】本発明の実施形態に係る皿ユニットのベースの外観を示す斜視図である。
【図６】本発明の実施形態に係る皿ユニットのベースを裏面から見た分解図である。
【図７】本発明の実施形態に係る皿ユニットのベースを裏面から見た斜視図である。
【図８】（ａ）比較例の皿ユニット及びスピーカボックスの模式図である。（ｂ）本発明の実施形態に係る皿ユニット及びスピーカ室の模式図である。
【符号の説明】
【００４８】
１０  パチンコ機（遊技機）
１４  内枠（遊技機本体）
４０  皿ユニット（受皿ユニット）
４２  上皿（上皿）
４４  下皿（下皿）
７４  スピーカ（スピーカ）
９４  仕切壁（仕切壁）
９５  スピーカ室（部屋）
９６  裏蓋（蓋体）
【図１】
2009165601.tif 000003
【図２】
2009165601.tif 000004
【図３】
2009165601.tif 000005
【図４】
2009165601.tif 000006
【図５】
2009165601.tif 000007
【図６】
2009165601.tif 000008
【図７】
2009165601.tif 000009
【図８】
2009165601.tif 000010